(57)【特許請求の範囲】
【請求項１】
ディスクに録音された複数の曲からユーザが希望する曲をＳＫＩＰ  ＵＰ（又はＳＫＩＰ  ＤＯＷＮ）により選択して再生する選曲方法において、
前記ディスクに録音されている総曲数を検出し、該総曲数を予め選定された少なくとも１つの数と比較して、ＳＫＩＰ  ＵＰ（又はＳＫＩＰ  ＤＯＷＮ）の間隔を複数の値に変化させることを特徴とする選曲方法。
【請求項２】
前記ＳＫＩＰ  ＵＰ（又はＳＫＩＰ  ＤＯＷＮ）の間隔は、低速、中速および高速の少なくとも３段階に切り替えることを特徴とする請求項１に記載の選曲方法。
【請求項３】
残りの曲数が一定範囲内になると、前記ＳＫＩＰ  ＵＰ間隔を最低値に選定することを特徴とする請求項１又は２に記載の選曲方法。
【請求項４】
前記一定範囲は、前記ＳＫＩＰ  ＵＰの間隔を前記最低値から次の値に切り替える曲数と同じに設定することを特徴とする請求項３に記載の選曲方法。
【発明の詳細な説明】
【０００１】
【発明の属する技術分野】
本発明は録音再生技術に関し、特にＣＤ（Compact  Disc）およびＭＤ（Mini  Disc）等にデジタル的に録音された複数の曲をランダムに選択して再生するための選曲方法に関する。
【０００２】
音楽等のデータは、上述したＣＤ、ＭＤ又はＤＶＤ（デジタル他用途ディスク）等のディスクにデジタル的に記録され、例えばレーザビームを使用して光学的に読み取り再生している。斯かるディスクは、例えば１０時間以上の長い録音／再生時間を有するので、例えば１００~２００曲に及ぶ多数の曲を含んでいる場合がある。このように多数の曲を再生する場合には、ディスクに収められた又は録音された順序に従って順次（シーケンシャル）に再生する場合もあるが、ユーザの好み／希望に応じてランダムに選択して再生するのが一般的である。
【０００３】
ＣＤ又はＭＤにおける従来の選曲は、ＣＤ又はＭＤ機器本体の操作パネル又はリモコンに設けられたＳＫＩＰ  ＵＰ／ＤＯＷＮキーをユーザが押圧操作して行うのが一般的である。図２は、ＣＤ又はＭＤにおける従来の選局方法を示すフローチャートである。以下、図２のフローチャートを参照して、従来の一般的な選曲方法について説明する。
【０００４】
ＳＫＩＰ  ＵＰキーを使用して選曲する場合には、このキーがユーザにより押圧操作されている時間が予め決められた所定時間（例えば５秒）経過したか否か判断する（ステップＢ１）。例えばユーザがこのＳＫＩＰ  ＵＰキーを押圧操作し続けると、所定時間が経過するまでは（ステップＢ１：No）、内部の選曲カウンタを、例えば０．３Ｓ（秒）間隔で、比較的遅い第１速度でインクリメントする（ステップＢ２）。この選曲カウンタは、ＣＤ又はＭＤ機器本体の操作パネル又はそのリモコンに設けられた液晶表示装置等の表示部に表示される。
【０００５】
一方、ユーザがＳＫＩＰ  ＵＰキーを押圧操作している時間が予め決められた所定時間を経過すると（ステップＢ１：Yes）、上述した選曲カウンタを、例えば０．２Ｓ間隔の比較的早い第２速度でインクリメントする（ステップＢ３）。従って、ユーザが再生しようとする曲の番号が、選曲カウンタの現在値と離れている場合には、ユーザは、ＳＫＩＰ  ＵＰキーの押圧操作し続ける。選曲カウンタの値が、再生したい曲の近くにくると、ユーザはＳＫＩＰ  ＵＰキーの押圧操作を停止する。この停止時の選曲カウンタ値が、希望する曲番号と一致すると、そのまま再生する。しかし、希望する曲番号の手前であれば、ＳＫＩＰ  ＵＰキーを再度押圧して、上述した第１速度で選曲カウンタをインクリメントして、希望曲番に合わせて再生を開始する。
【０００６】
尚、上述した第２速度での選曲カウンタの値が希望する曲の番号を超えた場合には、ＳＫＩＰ  ＤＯＷＮキーを押圧操作して希望する曲番号に合わせる。このＳＫＩＰ  ＤＯＷＮキーも同様に、その押圧操作の時間に応じて選曲カウンタのデクリメント速度を第１速度又は第２速度に切り替える。このようにして、ユーザは、選曲カウンタの表示を参照しながらＳＫＩＰ  ＵＰ／ＤＯＷＮキーを押圧操作して、再生を希望する曲の番号を選択する。
【０００７】
【発明が解決しようとする課題】
上述した所定時間の設定にもよるが、ＳＫＩＰ  ＵＰ／ＤＯＷＮ動作の第１速度が一定であるので、曲数が多いディスクでは選曲操作を完了するのに時間がかかる。また、ＳＫＩＰ  ＵＰ／ＤＯＷＮ速度を速く設定しすぎると、選曲カウンタを希望した選曲番号に合わせる選曲動作が困難である。
【０００８】
【発明の目的】
本発明は、従来技術の上述した課題に鑑みなされたものであり、簡単且つ迅速に選曲が可能なディスクの選曲方法を提供することを目的とする。
【０００９】
【課題を解決するための手段】
前述の課題を解決するため、本発明による選局方法は、次のような特徴的な構成を採用している。
【００１０】
（１）ディスクに録音された複数の曲からユーザが希望する曲をＳＫＩＰ  ＵＰ（又はＳＫＩＰ  ＤＯＷＮ）により選択して再生する選曲方法において、
前記ディスクに録音されている総曲数を検出し、該総曲数を予め選定された少なくとも１つの数と比較して、ＳＫＩＰ  ＵＰ（又はＳＫＩＰ  ＤＯＷＮ）の間隔を複数の値に変化させる選曲方法。
【００１１】
（２）前記ＳＫＩＰ  ＵＰ（又はＳＫＩＰ  ＤＯＷＮ）の間隔は、低速、中速および高速の少なくとも３段階に切り替える上記（１）の選曲方法。
【００１２】
（３）残りの曲数が一定範囲内になると、前記ＳＫＩＰ  ＵＰ間隔を最低値に選定する上記（１）又は（２）の選曲方法。
【００１３】
（4）前記一定範囲は、前記ＳＫＩＰ  ＵＰの間隔を前記最低値から次の値に切り替える曲数と同じに設定する上記（３）の選曲方法。
【００１４】
【発明の実施の形態】
以下、本発明による選曲方法の好適実施形態を、添付図面を参照して詳細に説明する。
【００１５】
図１は、本発明による選曲方法の好適実施形態を示すフローチャートである。
先ず、ディスクに収められている総曲数Ｔmaxが予め決められた曲数M（第１曲数）より少ないか否か判断する（ステップＡ１）。総曲数ＴmaxがMより少ない場合（即ち、Ｔmax＜M）には（ステップＡ１：Yes）、選曲カウンタを第１（又は最低）速度である例えば０．３Ｓ間隔でインクリメントし（ステップＡ２）、リターンする（ステップＡ３）。
【００１６】
一方、総曲数ＴmaxがMより少なくない場合には（ステップA１：No）、総曲数Ｔmaxが予め決められた曲数Ｎ（第２曲数）より多いか否か判断する。Ｎ＜Ｔmaxでない場合には（ステップA４：No）、上述した選曲カウンタを第２（又は中間）速度である例えば０．２Ｓでインクリメントする（ステップＡ５）。また、Ｎ＜Ｔmaxである場合には（ステップＡ４：Yes）、上述した選曲カウンタを第３（又は最高）速度である例えば０．１Ｓ間隔でインクリメントする（ステップＡ６）。
【００１７】
上述したステップＡ５又はＡ６の後に、現在の曲数（即ち、選曲カウンタの現在値）Ｔnが上述した値Mより少ないか否か判断する（ステップＡ７）。残りの曲数（Ｔmax−Ｔn）が一定範囲、即ちMより少ない場合には（ステップＡ７：Yes）、上述した選曲カウンタを再び第１速度である０．３Ｓ間隔でインクリメントし（ステップＳ８）、リターンする（ステップＡ９）。また、残りの曲数がＭより少なくない場合には（ステップＡ７：No）、リターンする（ステップＡ１０）。
【００１８】
上述した好適実施形態では、選曲カウンタのインクリメントを、総曲数Ｔmaxに応じて複数（３段階）に切り替える。即ち、選曲カウンタのインクリメント速度を、Ｔmax＜Ｍの場合には０．３Ｓ間隔、Ｍ＜Ｔmax＜Ｎの場合には０．２Ｓ間隔およびＴmax＞Ｎの場合には０．１Ｓ間隔に切り替える。これにより、ユーザが再生を希望する曲を迅速に選曲することが可能である。ここで、上述した数値ＭおよびＮは、任意に選定可能であるが、例えばＭ＝１０およびＮ＝５０であってもよい。
【００１９】
また、上述した本発明の好適実施形態にあっては、ステップＡ７〜Ａ１０に示す如く、現在の曲数と予め決められた数値Ｍとを比較し、現在の曲数Ｔnがこの数値Mより少ない値になると、選曲カウンタのインクリメント速度を、例えば第１（最低）速度に戻して、選曲操作を容易にしている。
【００２０】
以上、本発明による選曲方法の好適実施形態を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。例えば、上述した数値MおよびNは、任意に設定可能である。また、選曲カウンタのインクリメント速度の切り替えは、上述した実施形態の３段階ではなく、４段階以上の複数段階に切り替えてもよい。
更に、上述したステップＡ７における現在の曲数と比較する数値は、Ｍとは異なる数値であってもよい。
【００２１】
【発明の効果】
以上の説明から理解される如く、本発明の選曲方法によると、次の如き実用上の顕著な効果が得られる。即ち、ディスクに収められている曲数が例えば１００~２００曲に及ぶ多数の場合であっても短時間で選曲可能である。また、ディスクに収められている総曲数に応じて自動的にＳＫＩＰ  ＵＰ／ＤＯＷＮ（間隔）速度を選定するので、多数の曲が収められている場合でも選曲操作が迅速に行える。更に、残り曲数が少なくなると、自動的にＳＫＩＰ  ＵＰの間隔を遅くすることが可能である。
【図面の簡単な説明】
【図１】本発明の選曲方法の好適実施形態を説明するフローチャートである。
【図２】選曲方法の一般的な従来例を示すフローチャートである。
【図１】
0003701223.tif 000002
【図２】
0003701223.tif 000003